(57)【要約】【課題】建物に関係するＢＩＭモデルが複数存在する場合に、複数のＢＩＭモデルが整合しているか否かの検査を支援することができるＢＩＭモデル検査支援方法及びＢＩＭモデル検査支援システムを得る。【解決手段】サーバ１４は、建物を表す３次元モデルである複数のＢＩＭ（Building Information Modeling）モデルを取得する。そして、サーバ１４は、取得された複数のＢＩＭモデルの各々を重ね合わせ、複数のＢＩＭモデルの重ね合わせに関する検査情報を出力する。【選択図】図４
2019095926.tif 000002
【特許請求の範囲】
【請求項１】
建物を表す３次元モデルである複数のＢＩＭ（Building Information Modeling）モデルを取得し、
取得された複数の前記ＢＩＭモデルの各々を重ね合わせ、複数の前記ＢＩＭモデルの重ね合わせに関する検査情報を出力する、
処理をコンピュータに実行させるＢＩＭモデル検査支援方法。
【請求項２】
前記検査情報を出力する際に、複数の前記ＢＩＭモデルの各々を重ね合わせて、複数の前記ＢＩＭモデルの各要素に付与された属性情報と複数の前記ＢＩＭモデルの各要素の形状を表す形状情報とに基づいて、前記検査情報を出力する、
請求項１に記載のＢＩＭモデル検査支援方法。
【請求項３】
複数の前記ＢＩＭモデルの各々は、予め設定された重ね合わせに関する基準情報に基づき作成され、
前記重ね合わせに関する検査情報は、前記重ね合わせに関する基準情報に基づき生成される、
請求項１又は請求項２に記載のＢＩＭモデル検査支援方法。
【請求項４】
複数の前記ＢＩＭモデルには、建築主の要求事項に関する情報から定まる、建物の各要素の形状を表す形状情報及び建物の各要素の属性情報を付与した前記ＢＩＭモデルである基本要件モデルが含まれる、
請求項１〜請求項３の何れか１項に記載のＢＩＭモデル検査支援方法。
【請求項５】
複数の職能の各々が使用する複数のクライアント端末とサーバとを含むＢＩＭモデル検査支援システムであって、
複数の前記クライアント端末は、前記職能により作成されたＢＩＭモデルをサーバへ送信し、
前記サーバは、複数の前記クライアント端末から送信された前記ＢＩＭモデルの各々を重ね合わせ、複数の前記ＢＩＭモデルの重ね合わせに関する検査情報を出力する、
ＢＩＭモデル検査支援システム。
【請求項６】
前記サーバは、設計職能及び施工職能とは異なる職能であって、かつ前記ＢＩＭモデルの重ね合わせ作業を担当する職能である重ね合わせ職能によって操作され、
前記サーバは、前記重ね合わせ職能から入力された、重ね合わせの実行に関する操作情報を受け付けた場合に、複数の前記クライアント端末から送信された前記ＢＩＭモデルの各々を重ね合わせ、複数の前記ＢＩＭモデルの重ね合わせに関する検査情報を出力する、
請求項５に記載のＢＩＭモデル検査支援システム。
【発明の詳細な説明】
【技術分野】
【０００１】
本発明は、ＢＩＭモデル検査支援方法及びＢＩＭモデル検査支援システムに関する。
【背景技術】
【０００２】
従来、土木構造物又は建築物を表す三次元モデルデータを管理する情報管理装置が知られている（例えば特許文献１を参照）。この情報管理装置は、他のコンピュータから三次元モデルデータが表すものに関する電子ファイルを受信した場合、当該電子ファイルのファイル名、当該電子ファイルの内容に含まれる文字列、及び他のコンピュータにおける当該電子ファイルの保存場所を示す階層構造を記憶装置に記憶させる。そして、情報管理装置は、要求、及びユーザによって入力される検索条件に基づくキーワードを用いて、記憶装置に記憶されたファイル名、文字列、及び階層構造を検索する。
【先行技術文献】
【特許文献】
【０００３】
【特許文献１】特開２０１７‐１３４７６０号公報
【発明の概要】
【発明が解決しようとする課題】
【０００４】
建物の設計作業等は、複数の職能によって行われることが多い。複数の職能によって建物の設計作業が行われる場合、複数の職能の各々によって作成されたＢＩＭ（Building Information Modeling）モデルが存在する。
【０００５】
しかし、上記特許文献１に記載の技術では、複数のＢＩＭモデルが整合しているか否かに関しては考慮されていない。そのため、複数のＢＩＭモデルが整合しているか否かを適切に検査することができないという課題がある。
【０００６】
本発明は上記事実を考慮して、建物に関係するＢＩＭモデルが複数存在する場合に、複数のＢＩＭモデルが整合しているか否かの検査を支援することができるＢＩＭモデル検査支援方法及びＢＩＭモデル検査支援システムを提供することを目的とする。
【課題を解決するための手段】
【０００７】
上記目的を達成するために、本発明のＢＩＭモデル検査支援方法は、建物を表す３次元モデルである複数のＢＩＭ（Building Information Modeling）モデルを取得し、取得された複数の前記ＢＩＭモデルの各々を重ね合わせ、複数の前記ＢＩＭモデルの重ね合わせに関する検査情報を出力する、処理をコンピュータに実行させるＢＩＭモデル検査支援方法である。これにより、複数のＢＩＭモデルが整合しているか否かの検査を適切に行うことができる。
【０００８】
また、本発明のＢＩＭモデル検査支援方法は、前記検査情報を出力する際に、複数の前記ＢＩＭモデルの各々を重ね合わせて、複数の前記ＢＩＭモデルの各要素に付与された属性情報と複数の前記ＢＩＭモデルの各要素の形状を表す形状情報とに基づいて、前記検査情報を出力するようにすることができる。これにより、複数のＢＩＭモデルの各要素間で、整合が取れているか否かを適切に検査することができる。
【０００９】
また、本発明のＢＩＭモデル検査支援方法は、複数の前記ＢＩＭモデルの各々は、予め設定された重ね合わせに関する基準情報に基づき作成され、前記重ね合わせに関する検査情報は、前記重ね合わせに関する基準情報に基づき生成されるようにすることができる。これにより、重ね合わせが適切に実行されるため、重ね合わせに関する検査情報を適切に生成することができる。
【００１０】
また、本発明のＢＩＭモデル検査支援方法において、複数の前記ＢＩＭモデルには、建築主の要求事項に関する情報から定まる、建物の各要素の形状を表す形状情報及び建物の各要素の属性情報を付与した前記ＢＩＭモデルである基本要件モデルが含まれるようにすることができる。重ね合わせの対象であるＢＩＭモデルに基本要件モデルが含まれることにより、複数のＢＩＭモデルの各々が、建築主の要求事項を満たしているか否かを適切に検査することができる。
【００１１】
また、本発明のＢＩＭモデル検査支援システムは、複数の職能の各々が使用する複数のクライアント端末とサーバとを含むＢＩＭモデル検査支援システムであって、複数の前記クライアント端末は、前記職能により作成されたＢＩＭモデルをサーバへ送信し、前記サーバは、複数の前記クライアント端末から送信された前記ＢＩＭモデルの各々を重ね合わせ、複数の前記ＢＩＭモデルの重ね合わせに関する検査情報を出力する、ＢＩＭモデル検査支援システムである。
【００１２】
また、本発明のＢＩＭモデル検査支援システム前記サーバは、設計職能及び施工職能とは異なる職能であって、かつ前記ＢＩＭモデルの重ね合わせ作業を担当する職能である重ね合わせ職能によって操作され、前記サーバは、前記重ね合わせ職能から入力された、重ね合わせの実行に関する操作情報を受け付けた場合に、複数の前記クライアント端末から送信された前記ＢＩＭモデルの各々を重ね合わせ、複数の前記ＢＩＭモデルの重ね合わせに関する検査情報を出力する、ようにすることができる。重ね合わせ職能が複数のＢＩＭモデルの重ね合わせ作業を担当することにより、重ね合わせ作業を適切に実施することができる。
【発明の効果】
【００１３】
本発明によれば、建物に関係するＢＩＭモデルが複数存在する場合に、複数のＢＩＭモデルが整合しているか否かの検査を支援することができる、という効果が得られる。
【図面の簡単な説明】
【００１４】
【図１】ＢＩＭモデルを用いた設計施工計画の概念図である。
【図２】本実施形態の重ね合わせプラットフォームの概要を説明するための図である。
【図３】本実施形態のＢＩＭモデル検査支援システムの概要を説明するための図である。
【図４】本実施形態に係るＢＩＭモデル検査支援システムの概略構成を示すブロック図である。
【図５】本実施形態に係るクライアント端末の概略構成を示すブロック図である。
【図６】複数のＢＩＭモデルを重ね合わせるための基準情報の一例を示す図である。
【図７】本実施形態に係るサーバの概略構成を示すブロック図である。
【図８】本実施形態に係るＢＩＭモデル検査支援システムの作用の一例を示すである。
【図９】ＢＩＭモデルの作成作業と重ね合わせ作業とのフローの一例を示すである。
【発明を実施するための形態】
【００１５】
＜本発明の実施形態の概要＞
【００１６】
建物の設計施工計画の際に用いられるＢＩＭ（Building Information Modeling）では、建物を表す３次元モデルであるＢＩＭモデルがコンピュータ上に生成される。ＢＩＭを用いて設計施工計画を作成する場合、複数の職能の各々は、自らの職能に応じたＢＩＭモデルを作成し、各ＢＩＭモデルを連携させることにより建物の設計施工計画を作成する。
【００１７】
なお、ＢＩＭモデルには、建物の各要素の形状を表す形状情報と建物の各要素の属性情報とが含まれる。例えば、建物に含まれる要素である「ドア」のオブジェクトは所定の形状で表現される。また、建物に含まれる要素である「ドア」のオブジェクトに対し、オブジェクトの名称「ドア」が付与され、更に「寸法」、「材質」等の情報が属性情報として付与される。
【００１８】
図１に、ＢＩＭモデルを用いた設計施工計画の概念図を示す。図１には、各ＢＩＭモデルの一例として、建築設計モデル、構造設計モデル、設備設計モデル、積算モデル、工事計画モデル、施工モデル、鉄骨モデル、設備施工モデル、及びＦＭ（Facility Management）モデルが示されている。なお、建物の建設の際に生成されるＢＩＭモデルは様々であり、図１の例では、上記のＢＩＭモデルが示されている。
【００１９】
図１に示される基本要件モデルは、建築主の要求事項に関する情報から定まるＢＩＭモデルである。基本要件モデルには、建築主の要求事項に関する情報から定まる、建物の各要素の形状を表す形状情報及び建物の各要素の属性情報が付与される。
【００２０】
上記図１に示す各ＢＩＭモデルは、各職能によって作成される。例えば、ＢＩＭモデルの一例としての建築設計モデルは、建築設計担当の職能によって作成される。また、各職能が自らのＢＩＭモデルを作成する際には、基本要件モデルを参照する。各職能が基本要件モデルを参照してＢＩＭモデルを作成することにより、建築主の要求事項が満たされた複数のＢＩＭモデルが生成される。
【００２１】
各職能によって作成された複数のＢＩＭモデルは、各ＢＩＭモデル間で整合が取れているか否かを確認する必要がある。例えば、建築設計モデルと構造設計モデルとの間において天井内に梁が納まるか否かの確認、建築設計モデルと設備設計モデルとの間において天井内に配管設備が納まるか否かの確認、及び構造設計モデルと設備設計モデルとの間において配管が柱に当たってしまうか否かの確認等を行う必要がある。
【００２２】
そこで、本実施形態のＢＩＭモデル検査支援システムは、複数のＢＩＭモデルの各々を重ね合わせ、複数のＢＩＭモデルの重ね合わせに関する検査情報を出力する。本実施形態では、複数のクライアント端末とサーバとを含むＢＩＭモデル検査支援システムによって、ＢＩＭモデルの重ね合わせプラットフォームが実現される。
【００２３】
図２に、本実施形態の重ね合わせプラットフォームの概念図を示す。図２の例では、敷地モデル、基本計画モデル、基本設計モデル、詳細設計モデル（建築）、詳細設計モデル（構造）、詳細設計モデル（設備）、施工モデル（躯体）、施工モデル（外装）、施工モデル（設備）、施工モデル（内装）、竣工モデル、ＦＭモデルが示されている。
【００２４】
図２に示されるように、各ＢＩＭモデルが生成される際には、基本要件モデルが参照される。各職能が基本要件モデルを参照することにより、建築主の要求事項を満たしたＢＩＭモデルが作成される。そして、ＢＩＭモデル検査支援システムによる重ね合わせプラットフォームにおいて、各ＢＩＭモデルの重ね合わせが行われる。これにより、各ＢＩＭモデルが互いに整合しているか否かを適切に検査することができる。
【００２５】
図３に、本実施形態のＢＩＭモデル検査支援システムの概念図を示す。図３に示されるように、本実施形態では、複数の職能によって作成された複数のＢＩＭモデルを、重ね合わせ職能が操作するサーバへ送信する。そして、重ね合わせ職能が操作するサーバによって、複数のＢＩＭモデルを重ね合わせ、重ね合わせに関する検査情報を、各職能のクライアント端末へ送信する。重ね合わせに関する検査情報には、例えば、図３に示されるように、各ＢＩＭモデル間で不整合が発生している箇所Ｋが含まれる。
【００２６】
これにより、設計及び施工等の各職能は、自らが作成したＢＩＭモデルが、他のＢＩＭモデル（基本要件モデルを含む）と整合しているか否かを確認することができる。そのため、建物の設計施工計画を適切かつ効率的に作成することができる。
【００２７】
以下、本発明の実施形態について詳細に説明する。
【００２８】
＜ＢＩＭモデル検査支援システムのシステム構成＞
【００２９】
図４に示すように、ＢＩＭモデル検査支援システム１０は、複数の職能の各々が使用する複数のクライアント端末１２とサーバ１４とを備えている。複数のクライアント端末１２は、複数の職能に対応しており、各職能は自身のクライアント端末１２を用いてＢＩＭモデルを作成する。
【００３０】
複数のクライアント端末１２とサーバ１４とは、例えばインターネットやＬＡＮなどのネットワーク１６を介して接続されている。
【００３１】
［クライアント端末］
【００３２】
図５は、クライアント端末１２の構成の一例を示すブロック図である。クライアント端末１２は、ＣＰＵ（Central  Processing  Unit）、各処理ルーチンを実現するためのプログラム等を記憶したＲＯＭ（Read  Only  Memory）、データを一時的に記憶するＲＡＭ（Random  Access  Memory）、記憶手段としてのメモリ、ネットワークインタフェース等を含んで構成されている。クライアント端末１２は、機能的には、図５に示すように、操作部１２０、コンピュータ１２２、及び表示部１３０を含んだ構成で表すことができる。
【００３３】
操作部１２０は、職能であるユーザから入力された操作情報を受け付ける。操作部１２０は、例えばキーボードやマウス等である。具体的には、各職能は、建物の設計情報を操作部１２０により入力する。
【００３４】
コンピュータ１２２は、機能的には、図５に示すように、ＢＩＭモデル生成部１２４、ＢＩＭモデル記憶部１２６、及び送受信部１２８を備えている。
【００３５】
ＢＩＭモデル生成部１２４は、操作部１２０によって受け付けた設計情報に基づいて、ＢＩＭモデルを生成する。
【００３６】
各職能は、操作部１２０による操作に応じてＢＩＭモデル生成部１２４を操作し、自らの職能に応じたＢＩＭモデルを作成する。なお、各職能は、ＢＩＭモデルを作成する際に、重ね合わせに関する基準情報の一例として、ＢＩＭモデルの空間内に基準立方体を予め設定する。
【００３７】
複数のＢＩＭモデルを重ね合わせる際には、各ＢＩＭモデルの座標系を合わせる必要がある。そのため、本実施形態では、複数のＢＩＭモデルの各々を作成する際に、ＢＩＭモデル毎に基準立方体を設定する。
【００３８】
図６に、重ね合わせに関する基準立方体を説明するための説明図を示す。各職能は、例えば図６に示されるように、ＢＩＭモデルＢＭが作成される空間の特定箇所に、重ね合わせに関する基準情報に対応する立方体を設定する。ＢＩＭモデルＢＭが作成される空間は３次元であるため、例えば、１ｍ×１ｍ×１ｍの立方体が基準情報として設定される。例えば、図６に示されるように、Ａ通りと１通りとの交点から１０ｍ反原点側で１ＦＬが頂点となる１ｍの立方体が、複数のＢＩＭモデルの空間毎に予め設定される。
【００３９】
ＢＩＭモデル記憶部１２６には、職能の操作に応じてＢＩＭモデル生成部１２４によって生成されたＢＩＭモデルが格納される。
【００４０】
送受信部１２８は、サーバ１４との間で情報の送受信を行う。具体的には、送受信部１２８は、操作部１２０に入力された操作に応じて、ＢＩＭモデル記憶部１２６に格納されたＢＩＭモデルを、ネットワーク１６を介してサーバ１４へ送信する。また、送受信部１２８は、サーバ１４から送信された検査情報を受信する。検査情報については後述する。
【００４１】
［サーバ］
【００４２】
サーバ１４は、ＣＰＵ、各処理ルーチンを実現するためのプログラム等を記憶したＲＯＭ、データを一時的に記憶するＲＡＭ、記憶手段としてのメモリ、ネットワークインタフェース等を含むサーバで構成されている。サーバ１４は、機能的には、図７に示すように、操作部１４０、コンピュータ１４１、及び表示部１５０を含んだ構成で表すことができる。
【００４３】
サーバ１４は、設計職能及び施工職能とは異なる職能であって、かつ複数のＢＩＭモデルの重ね合わせ作業を担当する職能である重ね合わせ職能によって操作される。
【００４４】
操作部１４０は、重ね合わせ職能から入力された操作情報を受け付ける。コンピュータ１４１は、操作部１４０により受け付けた操作情報に応じて、各処理を実行する。
【００４５】
コンピュータ１４１は、機能的には、図７に示すように、送受信部１４２、重ね合わせ部１４４、及び複数モデル記憶部１４６を備えている。
【００４６】
送受信部１４２は、クライアント端末１２との間で情報の送受信を行う。具体的には、送受信部１４２は、各職能の操作によってクライアント端末１２から送信された複数のＢＩＭモデルを、ネットワーク１６を介して受信する。そして、送受信部１４２は、受信した複数のＢＩＭモデルを複数モデル記憶部１４６に格納する。
【００４７】
複数モデル記憶部１４６には、複数のクライアント端末１２から送信された複数のＢＩＭモデルが格納される。なお、基本要件モデルについても複数モデル記憶部１４６に格納される。
【００４８】
基本要件モデルについては、例えば、複数モデル記憶部１４６に格納され、各職能のクライアント端末１２から送信された情報に応じて、逐次更新される。具体的には、各職能は、自らの職能に応じたＢＩＭモデルを作成する際に、建築主の要求事項を表す情報から定まる建物の情報を基本要件モデルへ反映する。これにより、基本要件モデルが生成される。また、各職能は、基本要件モデルから得られる各情報を参照して自らの職能に応じたＢＩＭモデルを生成する。
【００４９】
重ね合わせ部１４４は、操作部１４０によって受け付けられた操作情報を取得する。そして、重ね合わせ職能によって入力された操作情報が重ね合わせの実行に関する操作情報である場合に、複数モデル記憶部１４６に格納された複数のＢＩＭモデルを取得する。そして、重ね合わせ部１４４は、取得した複数のＢＩＭモデルの各々を重ね合わせ、複数のＢＩＭモデルの重ね合わせに関する検査情報を出力する。
【００５０】
具体的には、重ね合わせ部１４４は、複数のＢＩＭモデルに含まれる基準立方体を一致させるように、複数のＢＩＭモデルの各々を重ね合わせる。これにより、複数のＢＩＭモデルを適切に重ね合わせることができるため、各ＢＩＭモデル間での不整合及び干渉している箇所等が判明する。
【００５１】
なお、各ＢＩＭモデルに含まれる各要素（オブジェクト）には属性情報が付与されている。オブジェクトに付与された属性情報には、オブジェクトが何であるかを示す属性情報が含まれている。例えば、オブジェクトが柱であるのか、配管であるのかといった情報が属性情報として付与されている。そのため、重ね合わせ部１４４は、複数のＢＩＭモデルの各オブジェクトに付与された属性情報と複数のＢＩＭモデルの各オブジェクトの形状を表す形状情報とに基づいて、検査情報を生成する。例えば、オブジェクトである柱と配管とが干渉しているか否かについての検査情報が生成される。
【００５２】
なお、本実施形態においては、複数のＢＩＭモデルが重ね合わされる際には、各々のＢＩＭモデルを統合することなく、複数のＢＩＭモデルを単に重ね合わせる。
【００５３】
例えば、複数のＢＩＭモデルが整合しているか否かを検査する場合、複数のＢＩＭモデルを統合させ、１つの統合モデルとすることが考えられる。この場合には、統合モデルにおいて干渉等の箇所が特定され、その特定箇所の修正作業が行われる。
【００５４】
しかし、複数のＢＩＭモデルは各職能によって作成されるため常に変化する。そのため、統合モデルを修正する間にも、各職能によって各ＢＩＭモデルは更新されてしまう。このため、複数のＢＩＭモデルから統合モデルを生成した後、統合モデルを修正することは適切ではない。
【００５５】
そこで、本実施形態では、複数のＢＩＭモデルを重ね合わせる際には、各々のＢＩＭモデルを統合することなく単に重ね合わせ、重ね合わせに関する検査情報を生成する。これにより、各職能によって各ＢＩＭモデルが更新される場合であっても、複数のＢＩＭモデルの検査を適切に行うことができる。
【００５６】
そして、重ね合わせ部１４４は、送受信部１４２を介して、重ね合わせに関する検査情報を各クライアント端末１２へ送信する。
【００５７】
表示部１５０は、コンピュータ１４１から出力される情報を、例えば、サーバ１４のユーザである重ね合わせ職能に対し表示する。例えば、表示部１５０は、操作部１４０により受け付けた操作情報に応じて、重ね合わせに関する検査情報を表示させること等ができる。
【００５８】
＜ＢＩＭモデル検査支援システムの作用＞
【００５９】
次に、図８を参照して、ＢＩＭモデル検査支援システム１０の作用を説明する。
【００６０】
まず、ステップＳ１０において、各クライアント端末１２が各職能によって操作される。そして、操作部１２０は、職能から入力された設計情報を受け付ける。ＢＩＭモデル生成部１２４は、操作部１２０によって受け付けた設計情報に基づいて、ＢＩＭモデルを作成する。そして、ＢＩＭモデルはＢＩＭモデル記憶部１２６に格納される。
【００６１】
ステップＳ１２において、各クライアント端末１２の操作部１２０は、職能から入力された、ＢＩＭモデル送信の指示情報を受け付けると、送受信部１２８は、上記ステップＳ１０でＢＩＭモデル記憶部１２６に格納されたＢＩＭモデルを、サーバ１４へ送信する。
【００６２】
ステップＳ１４において、サーバ１４の送受信部１４２は、上記ステップＳ１２で各クライアント端末１２から送信されたＢＩＭモデルの各々を受信する。そして、サーバ１４の送受信部１４２は、各クライアント端末１２から送信されたＢＩＭモデルの各々を複数モデル記憶部１４６に格納する。
【００６３】
ステップＳ１６において、重ね合わせ部１４４は、操作部１４０によって重ね合わせの実行に関する操作情報が入力されると、複数モデル記憶部１４６に格納された複数のＢＩＭモデルを取得する。
【００６４】
ステップＳ１８において、重ね合わせ部１４４は、上記ステップＳ１６で取得された複数のＢＩＭモデルに含まれる、重ね合わせに関する基準立方体を一致させるように、複数のＢＩＭモデルの各々を重ね合わせる。そして、重ね合わせ部１４４は、上記ステップＳ１６で取得された複数のＢＩＭモデルの各オブジェクトに付与された属性情報と複数のＢＩＭモデルの各オブジェクトの形状を表す形状情報とに基づいて、検査情報を生成する。
【００６５】
ステップＳ２０において、送受信部１４２は、上記ステップＳ１８で生成された検査情報を、各クライアント端末１２へ送信する。
【００６６】
ステップＳ２２において、各クライアント端末１２の送受信部１２８は、上記ステップＳ２０でサーバ１４から送信された検査情報を受信する。
【００６７】
ステップＳ２４において、各クライアント端末１２の表示部１３０は、上記ステップＳ２２で受信した検査情報を表示する。
【００６８】
各職能は、表示部１３０に表示された検査情報を確認し、自らのＢＩＭモデルの修正等を行う。
【００６９】
以上詳細に説明したように、本実施形態では、建物を表す３次元モデルである複数のＢＩＭモデルを取得し、取得された複数のＢＩＭモデルの各々を重ね合わせ、複数のＢＩＭモデルの重ね合わせに関する検査情報を出力する。これにより、建物に関係するＢＩＭモデルが複数存在する場合に、複数のＢＩＭモデルが整合しているか否かの検査を適切に支援することができる。
【００７０】
また、本実施形態では、複数のＢＩＭモデルの各オブジェクトに付与された属性情報と複数のＢＩＭモデルの各オブジェクトの形状を表す形状情報とに基づいて、検査情報を生成する。これにより、複数のＢＩＭモデルのオブジェクト間で、整合が取れているか否かを適切に検査することができる。例えば、構造物の一例である柱と設備の一例である配管とが干渉しているか否かを検査することができる。
【００７１】
また、本実施形態では、複数のＢＩＭモデルの各々は、予め設定された重ね合わせに関する基準立方体に基づき作成される。そして、検査情報は、重ね合わせに関する基準立方体に基づき生成される。具体的には、複数のＢＩＭモデルの各々に存在する、重ね合わせに関する基準立方体を一致させることにより、複数のＢＩＭモデル間の検査情報が生成される。重ね合わせに関する基準立方体を一致させるように複数のＢＩＭモデルを重ね合わせることにより、重ね合わせを適切に実行することができる。これにより、重ね合わせに関する検査情報を適切に生成することができる。
【００７２】
また、本実施形態では、複数のＢＩＭモデルには、建築主の要求事項に関する情報から定まる、建物の各オブジェクトの形状を表す形状情報及び建物の各オブジェクトの属性情報を付与したＢＩＭモデルである基本要件モデルが含まれる。重ね合わせの対象であるＢＩＭモデルに基本要件モデルが含まれることにより、複数のＢＩＭモデルの各々が、建築主の要求事項を満たしているか否かを適切に検査することができる。
【００７３】
また、本実施形態では、サーバ１４は、設計職能及び施工職能とは異なる職能であって、かつＢＩＭモデルの重ね合わせ作業を担当する職能である重ね合わせ職能によって操作される。重ね合わせ職能が複数のＢＩＭモデルの重ね合わせ作業を担当することにより、重ね合わせ作業を効率的に実施することができる。また、重ね合わせ職能が独立の立場で重ね合わせ作業を行い、重ね合わせ結果である検査情報を、設計職能及び施工職能を含む関係者全員に周知することができる。また、重ね合わせ職能が重ね合わせ作業を行うことにより、各ＢＩＭモデルの作成及び修正に関する責任は各職能とすることができる。
【００７４】
また、重ね合わせ職能による重ね合わせ作業は、図９に示されるように、１つの建物の計画・設計・施工・ＦＭの各段階において繰り返し行うようにすることもできる。
【００７５】
この場合には、まず、ステップＳ１において、設計及び施工等の各職能は各クライアント端末１２を操作して、自らの職能に応じたＢＩＭモデルを作成する。そして、設計及び施工等の各職能は、各クライアント端末１２を操作して、自ら作成したＢＩＭモデルをサーバ１４へ送信する。
【００７６】
次に、ステップＫ１において、重ね合わせ職能は、サーバ１４を操作して、各職能によって作成された複数のＢＩＭモデルの各々を重ね合わせて、重ね合わせに関する検査情報を生成する。そして、サーバ１４は、重ね合わせに関する検査情報を各クライアント端末１２へ送信する。また、ステップＫ２において、重ね合わせ職能は、重ね合わせに関する検査情報に基づき、各ＢＩＭモデル間での干渉チェックを行う。
【００７７】
ステップＳＫ１において、重ね合わせ職能は、重ね合わせ検討会を設定する。この重ね合わせ検討会には、設計及び施工等の各職能と重ね合わせ職能とが参加し、重ね合わせに関する検査情報に基づき、各ＢＩＭモデルについての検討を行う。
【００７８】
ステップＫ３において、重ね合わせ職能は、ステップＳＫ１での重ね合わせ検討会での検討結果に基づき、検討結果をまとめたレポートを作成し各職能に対して配布する。
【００７９】
ステップＳ２において、設計及び施工等の各職能は、ステップＫ３で配布されたレポートに基づき、自らのＢＩＭモデルの干渉箇所を確認し、ＢＩＭモデルへフィードバックを行う。そして、ステップＳ１において、設計及び施工等の各職能は、自らのＢＩＭモデルの作成を継続する。
【００８０】
図９に示されるサイクルは、１つの建物の計画・設計・施工・ＦＭの各段階において定期的に実施される。これにより、複数のＢＩＭモデル間で整合していない箇所を早期に発見することができ、各ＢＩＭモデルを適切に修正することができる。このため、複数のＢＩＭモデルをコンカレント（並列）に作成することができる。また、例えば、設計段階であっても施工モデルを早期に着手することできる。
【００８１】
また、打合せ時間の短縮、施工図の修正時間の削減、工数の削減をすることができ、かつ手戻り・手直しを低減することができる。また、意思決定及び合意形成をスムーズに進めることができる。
【００８２】
なお、本発明は、上述した実施形態に限定されるものではなく、この発明の要旨を逸脱しない範囲内で様々な変形や応用が可能である。
【００８３】
例えば、上記実施形態では、重ね合わせ職能によってサーバ１４が操作される場合を例に説明したが、これに限定されるものではない。例えば、重ね合わせ職能は、１つのクライアント端末１２を操作し、サーバ１４は、重ね合わせ職能が操作するクライアント端末１２から送信された操作情報に応じて、複数のＢＩＭモデルの重ね合わせを行い、検査情報を出力するようにしてもよい。
【００８４】
また、重ね合わせ部１４４は、操作部１４０によって受け付けられた操作情報に応じて、重ね合わせの対象となるＢＩＭモデルを設定するようにしてもよい。例えば、重ね合わせ部１４４は、複数のＢＩＭモデルのうち、構造設計モデル及び設備設計モデルを設定し、構造設計モデルと設備設計モデルとの間の整合性を確認するようにしてもよい。
【００８５】
また、重ね合わせ部１４４は、操作部１４０によって受け付けられた操作情報に応じて、重ね合わせの対象となる特定箇所を設定するようにしてもよい。例えば、重ね合わせ部１４４は、ＢＩＭモデルの１階部分を設定し、その箇所について、複数のＢＩＭモデルを重ね合わせ、重ね合わせに関する検査情報を生成するようにしてもよい。
【００８６】
また、重ね合わせ部１４４は、重ね合わせの対象となる建物の要素であるオブジェクトを設定するようにしてもよい。例えば、重ね合わせ部１４４は、配管と柱とを重ね合わせの対象のオブジェクトとして設定し、そのオブジェクト間について、重ね合わせに関する検査情報を生成するようにしてもよい。これにより、配管と柱との干渉を取り敢えずチェックしたい場合に、簡易にチェックすることができる。
【符号の説明】
【００８７】
１０   ＢＩＭモデル検査支援システム
１２   クライアント端末
１４   サーバ
１６   ネットワーク
１２０，１４０  操作部
１２２，１４１  コンピュータ
１２４ ＢＩＭモデル生成部
１２６ ＢＩＭモデル記憶部
１２８，１４２  送受信部
１３０，１５０  表示部
１４４ 重ね合わせ部
１４６ 複数モデル記憶部
【図１】
2019095926.tif 000003
【図２】
2019095926.tif 000004
【図３】
2019095926.tif 000005
【図４】
2019095926.tif 000006
【図５】
2019095926.tif 000007
【図６】
2019095926.tif 000008
【図７】
2019095926.tif 000009
【図８】
2019095926.tif 000010
【図９】
2019095926.tif 000011